(57)【要約】【課題】フリクションロック機構を有するコネクタ組立体において、耐ＥＭＩ特性を更に改善すること。【解決手段】コネクタ組立体１０において、プラグ１００は、レセプタクル２００に対してＸ方向に沿って嵌合可能である。Ｘ方向において、ロック部１４２とグランド接触部１５２とは異なる位置に位置している。Ｘ方向において、レセプタクル嵌合端２０２からレセプタクル信号端子２２０までの距離は、レセプタクル嵌合端２０２からグランド被接触部２５０までの距離より、第１所定距離Ｄ１だけ短い。Ｘ方向において、プラグ嵌合端１０２から信号接点部１２２までの距離は、プラグ嵌合端１０２からロック部１４２までの距離より、第２所定距離Ｄ２だけ長い。第２所定距離Ｄ２は、第１所定距離Ｄ１よりも長い。【選択図】図１２
2015215982.tif 000002
【特許請求の範囲】
【請求項１】
所定方向における先端として嵌合端を有していると共に前記所定方向に沿って相手側コネクタと嵌合可能なコネクタであって、
前記相手側コネクタは、前記所定方向における先端として相手側嵌合端を有していると共に、グランド部材と相手側信号端子とを備えており、
前記グランド部材は、グランド被接触部及び被ロック部を有しており、
前記所定方向において、前記グランド被接触部は、前記被ロック部と前記相手側嵌合端との間に位置しており、
前記コネクタは、第１部位と、第２部位と、信号端子とを備えており、
前記第１部位は、ロック部と、前記ロック部を弾性支持するロックバネ部とを有しており、
前記ロック部は、前記コネクタが前記相手側コネクタと嵌合する過程においては、前記グランド被接触部に接触するものであり、前記コネクタが前記相手側コネクタと嵌合している状態においては、前記被ロック部をロックするものであり、
前記第２部位は、前記第１部位に対して少なくとも電気的に接続されており、グランド接触部と、前記グランド接触部を弾性支持するグランドバネ部とを有しており、
前記グランド接触部は、前記コネクタが前記相手側コネクタと嵌合している状態において、前記グランド被接触部に接触するものであり、
前記所定方向において、前記ロック部は、前記嵌合端と前記グランド接触部との間に位置しており、
前記信号端子は、前記相手側信号端子に接触する信号接点部を有している
コネクタ。
【請求項２】
請求項１記載のコネクタであって、
前記所定方向において、前記相手側嵌合端から前記相手側信号端子までの距離は、前記相手側嵌合端から前記グランド被接触部までの距離より、第１所定距離だけ短く、
前記所定方向において、前記嵌合端から前記信号接点部までの距離は、前記嵌合端から前記ロック部までの距離より、第２所定距離だけ長く、
前記第２所定距離は、前記第１所定距離よりも長い
コネクタ。
【請求項３】
請求項１又は請求項２記載のコネクタであって、
前記所定方向における前記ロック部と前記グランド接触部との間の距離は、前記グランド被接触部の前記所定方向における長さよりも短い
コネクタ。
【請求項４】
請求項１乃至請求項３のいずれかに記載のコネクタであって、
前記第１部位と前記第２部位とは一体形成されている
コネクタ。
【請求項５】
請求項１乃至請求項４のいずれかに記載のコネクタであって、
前記所定方向と直交する直交方向において、前記ロック部と前記グランド接触部とは、互いに異なる方向に突出している
コネクタ。
【請求項６】
請求項１乃至請求項５のいずれかに記載のコネクタであって、
前記ロック部が前記被ロック部をロックしている状態において、前記ロックバネ部は前記グランド被接触部に接触しないように設けられている
コネクタ。
【請求項７】
請求項１乃至請求項６のいずれかに記載のコネクタと、前記相手側コネクタとを備えるコネクタ組立体。
【請求項８】
請求項７記載のコネクタ組立体であって、
前記相手側コネクタの前記グランド被接触部は、前記所定方向に延びており、
前記被ロック部は、前記所定方向と交差する方向に前記グランド被接触部から延びている
コネクタ組立体。
【請求項９】
請求項７又は請求項８記載のコネクタ組立体であって、
前記相手側コネクタは、板状部を有する相手側保持部材を備えており、
前記相手側信号端子は、前記板状部上に露出するように、前記相手側保持部材に保持されており、
前記グランド部材は、平板状のグランド主部を有しており、
前記グランド主部は、前記相手側信号端子から絶縁されるようにして前記板状部に保持されている
コネクタ組立体。
【発明の詳細な説明】
【技術分野】
【０００１】
本発明は、フリクションロック機構を有するコネクタ組立体と、そのコネクタ組立体を構成するコネクタに関する。
【背景技術】
【０００２】
例えば、特許文献１には、フリクションロック機構を有するコネクタ組立体が開示されている。図１６に示されるように、特許文献１のコネクタ組立体は、コネクタと相手側コネクタとからなる。コネクタは、信号端子と、信号端子を保持する保持部材と、保持部材を部分的に覆うシェルとを備えており、シェルには、ロック部とロック部を支持するロックバネ部が形成されている。相手側コネクタは、相手側信号端子と、相手側信号端子を保持する相手側保持部材と、相手側保持部材を部分的に覆う相手側シェルとを備えており、相手側シェルには、被ロック部が設けられている。コネクタが相手側コネクタと嵌合した状態において、ロック部は被ロック部をロックしている。これによって、嵌合状態が維持される。
【先行技術文献】
【特許文献】
【０００３】
【特許文献１】特開２００７−１０３２４９号公報
【発明の概要】
【発明が解決しようとする課題】
【０００４】
本発明は、フリクションロック機構を有するコネクタ組立体において、耐ＥＭＩ（Electromagnetic interference）特性を更に改善することを目的とする。
【課題を解決するための手段】
【０００５】
本発明は、第１のコネクタとして、
所定方向における先端として嵌合端を有していると共に前記所定方向に沿って相手側コネクタと嵌合可能なコネクタであって、
前記相手側コネクタは、前記所定方向における先端として相手側嵌合端を有していると共に、グランド部材と相手側信号端子とを備えており、
前記グランド部材は、グランド被接触部及び被ロック部を有しており、
前記所定方向において、前記グランド被接触部は、前記被ロック部と前記相手側嵌合端との間に位置しており、
前記コネクタは、第１部位と、第２部位と、信号端子とを備えており、
前記第１部位は、ロック部と、前記ロック部を弾性支持するロックバネ部とを有しており、
前記ロック部は、前記コネクタが前記相手側コネクタと嵌合する過程においては、前記グランド被接触部に接触するものであり、前記コネクタが前記相手側コネクタと嵌合している状態においては、前記被ロック部をロックするものであり、
前記第２部位は、前記第１部位に対して少なくとも電気的に接続されており、グランド接触部と、前記グランド接触部を弾性支持するグランドバネ部とを有しており、
前記グランド接触部は、前記コネクタが前記相手側コネクタと嵌合している状態において、前記グランド被接触部に接触するものであり、
前記所定方向において、前記ロック部は、前記嵌合端と前記グランド接触部との間に位置しており、
前記信号端子は、前記相手側信号端子に接触する信号接点部を有している
コネクタを提供する。
【０００６】
また、本発明は、第２のコネクタとして、第１のコネクタであって、
前記所定方向において、前記相手側嵌合端から前記相手側信号端子までの距離は、前記相手側嵌合端から前記グランド被接触部までの距離より、第１所定距離だけ短く、
前記所定方向において、前記嵌合端から前記信号接点部までの距離は、前記嵌合端から前記ロック部までの距離より、第２所定距離だけ長く、
前記第２所定距離は、前記第１所定距離よりも長い
コネクタを提供する。
【０００７】
また、本発明は、第３のコネクタとして、第１又は第２のコネクタであって、
前記所定方向における前記ロック部と前記グランド接触部との間の距離は、前記グランド被接触部の前記所定方向における長さよりも短い
コネクタを提供する。
【０００８】
また、本発明は、第４のコネクタとして、第１乃至第３のいずれかのコネクタであって、
前記第１部位と前記第２部位とは一体形成されている
コネクタを提供する。
【０００９】
また、本発明は、第５のコネクタとして、第１乃至第４のいずれかのコネクタであって、
前記所定方向と直交する直交方向において、前記ロック部と前記グランド接触部とは、互いに異なる方向に突出している
コネクタを提供する。
【００１０】
また、本発明は、第６のコネクタとして、第１乃至第５のいずれかのコネクタであって、
前記ロック部が前記被ロック部をロックしている状態において、前記ロックバネ部は前記グランド被接触部に接触しないように設けられている
コネクタを提供する。
【００１１】
また、本発明は、第１のコネクタ組立体として、第１乃至第６のいずれかのコネクタと、前記相手側コネクタとを備えるコネクタ組立体を提供する。
【００１２】
また、本発明は、第２のコネクタ組立体として、第１のコネクタ組立体であって、
前記相手側コネクタの前記グランド被接触部は、前記所定方向に延びており、
前記被ロック部は、前記所定方向と交差する方向に前記グランド被接触部から延びている
コネクタ組立体を提供する。
【００１３】
また、本発明は、第３のコネクタ組立体として、第１又は第２のコネクタ組立体であって、
前記相手側コネクタは、板状部を有する相手側保持部材を備えており、
前記相手側信号端子は、前記板状部上に露出するように、前記相手側保持部材に保持されており、
前記グランド部材は、平板状のグランド主部を有しており、
前記グランド主部は、前記相手側信号端子から絶縁されるようにして前記板状部に保持されている
コネクタ組立体を提供する。
【発明の効果】
【００１４】
コネクタが相手側コネクタと嵌合する過程においては、ロック部をグランド被接触部に接触させ、コネクタが相手側コネクタと嵌合している状態においては、グランド接触部をグランド被接触部に接触させることとしたことから、嵌合過程においてグランド被接触部を常にグランドに接続することができ、高い耐ＥＭＩ特性を得ることができる。
【００１５】
所定方向においてロック部とグランド接触部との位置を異ならせたことから、嵌合状態において、グランド接触部とグランド被接触部との接触位置を相手側嵌合端により近づけることができ、グランドの経路をより適切なものとすることができる。
【００１６】
所定方向において、相手側嵌合端から相手側信号端子までの距離が相手側嵌合端からグランド被接触部までの距離より第１所定距離だけ短く、且つ、所定方向において、嵌合端から信号接点部までの距離が嵌合端からロック部までの距離より第２所定距離だけ長いとした場合に、第２所定距離を第１所定距離よりも長くしたことから、コネクタが相手側コネクタと嵌合する過程において、信号端子が相手側信号端子に接続される前にロック部がグランド被接触部に接続される。このように、本発明のコネクタ組立体においては、良好な接続シーケンスを実現することができる。
【図面の簡単な説明】
【００１７】
【図１】本発明の実施の形態によるレセプタクルを示す正面図である。
【図２】図１のレセプタクルを示す上面図である。レセプタクルの構成要素のうち、レセプタクルシェルは点線で示されている。
【図３】図１のレセプタクルの構成要素であってレセプタクルシェル以外の構成要素からなる構造体を示す上側斜視図である。
【図４】図３の構造体を示す下側斜視図である。
【図５】図３の構造体を示す側面図である。
【図６】図３の構造体に含まれるグランド部材を示す斜視図である。
【図７】本発明の実施の形態によるプラグを示す斜視図である。
【図８】図７のプラグを示す正面図である。
【図９】図８のプラグをIX--IX線に沿って示す断面図である。
【図１０】図８のプラグをＸ--Ｘ線に沿って示す断面図である。
【図１１】図８のプラグに含まれるグランド端子を示す側面図である。
【図１２】本実施の形態によるコネクタ組立体の嵌合工程の一状態を示す断面斜視図である。
【図１３】図１２に続く嵌合工程の一状態を示す断面斜視図である。
【図１４】図１３に続く嵌合工程の一状態を示す断面斜視図である。
【図１５】図１４に続く嵌合工程の一状態を示す断面斜視図である。
【図１６】特許文献１のコネクタ組立体を示す断面図である。
【発明を実施するための形態】
【００１８】
図１、図２、図７、図８及び図１２を参照すると、本発明の実施の形態によるコネクタ組立体１０は、プラグ（コネクタ）１００と、レセプタクル（相手側コネクタ）２００とを備えている。図１２乃至図１５から理解されるように、プラグ１００は、Ｘ方向（所定方向）に沿ってレセプタクル２００と嵌合可能である。
【００１９】
図１及び図２に示されるように、レセプタクル２００は、樹脂等の絶縁体からなるレセプタクル保持部材（相手側保持部材）２１０と、導電体からなる複数のレセプタクル信号端子（相手側信号端子）２２０と、金属からなるグランド部材２３０と、金属からなるレセプタクルシェル２７０とを備えている。概略、レセプタクル信号端子２２０及びグランド部材２３０は、レセプタクル保持部材２１０に保持されており、そのレセプタクル保持部材２１０は、レセプタクルシェル２７０に部分的に覆われている。
【００２０】
図２乃至図５に示されるように、レセプタクル保持部材２１０は、基部２１２と、基部２１２から＋Ｘ方向に突出した板状部２１４を有している。レセプタクルシェル２７０は、基部２１２に取り付けられ、板状部２１４全体を覆っている。板状部２１４は、Ｚ方向（直交方向）において２つの主面（上面及び下面）を有している。本実施の形態の板状部２１４は、基部２１２により近い厚い部分と基部２１２から遠い薄い部分とを有しているが、本発明はこれに限定されるわけではない。例えば、板状部２１４は、ほぼ一様な厚みを有していてもよい。
【００２１】
図１から理解されるように、レセプタクル信号端子２２０は、２列に分けられている。各列を構成するレセプタクル信号端子２２０は、Ｙ方向（ピッチ方向）に並べられている。一方の列のレセプタクル信号端子２２０と他方の列のレセプタクル信号端子２２０とはＺ方向において離して配置されている。詳しくは、図２、図３及び図５に示されるように、一方の列のレセプタクル信号端子２２０は、板状部２１４の＋Ｚ側において露出している。また、図４及び図５に示されるように、他方の列のレセプタクル信号端子２２０は、板状部２１４の−Ｚ側において露出している。
【００２２】
図６に示されるように、グランド部材２３０は、平板状のグランド主部２４０と、２つのグランド被接触部２５０と、２つの被ロック部２６０とを有している。
【００２３】
グランド主部２４０は、いわゆるグランドプレートとして使用される部位である。グランド被接触部２５０は、Ｘ方向に沿って延びる小片状の形状を有しており、Ｙ方向において、グランド主部２４０から外側に向かって張り出している。加えて、グランド被接触部２５０は、グランド主部２４０の＋Ｘ側の端部に近い位置に位置している。詳しくは、グランド主部２４０を＋Ｘ側の部分（＋Ｘ部）と−Ｘ側の部分（−Ｘ部）とに二分した場合に、グランド被接触部２５０の全体がグランド主部２４０の＋Ｘ部からＹ方向外側に張り出している。図５に示されるように、各グランド被接触部２５０は、Ｘ方向において長さＬを有している。
【００２４】
図６に示されるように、被ロック部２６０は、グランド被接触部２５０に夫々対応付けて設けられている。各被ロック部２６０は、対応するグランド被接触部２５０の−Ｘ側に位置している。即ち、図１２に示されるように、各グランド被接触部２５０は、対応する被ロック部２６０とレセプタクル２００のＸ方向の先端であるレセプタクル嵌合端（相手側嵌合端）２０２との間に位置している。また、被ロック部２６０は、対応するグランド被接触部２５０の−Ｘ側端からＸ方向と交差する方向に延びている。詳しくは、図６に示されるように、＋Ｙ側の被ロック部２６０は、対応するグランド被接触部２５０から−Ｘ方向且つ＋Ｚ方向に延びており、−Ｙ側の被ロック部２６０は、対応するグランド被接触部２５０から−Ｘ方向且つ−Ｚ方向に延びている。即ち、被ロック部２６０は、Ｚ方向に関しては、互いに異なる方向に延びている。
【００２５】
図１乃至図５に示されるように、グランド部材２３０のグランド被接触部２５０と被ロック部２６０とは、Ｙ方向において、板状部２１４の両側に位置している。一方、図１乃至図６及び図１２から理解されるように、グランド部材２３０のグランド主部２４０は、レセプタクル保持部材２１０内に埋め込まれている。具体的には、グランド主部２４０の約１／４の部分は、基部２１２に保持されており、残りの約３／４の部分は板状部２１４に保持されている。板状部２１４内において、グランド主部２４０は、レセプタクル信号端子２２０の２つの列の間において両方の列から離れて位置している。即ち、グランド主部２４０は、板状部２１４内において、レセプタクル信号端子２２０から絶縁されている。グランド主部２４０がレセプタクル信号端子２２０の２つの列の間に介在していることから、列間においてクロストークが生じることを避けることができる。
【００２６】
図２に示されるように、Ｘ方向において、レセプタクル信号端子２２０の先端は、グランド被接触部２５０の先端よりも＋Ｘ側に位置している。即ち、レセプタクル信号端子２２０の先端は、グランド被接触部２５０の先端よりもレセプタクル嵌合端２０２に近く、グランド被接触部２５０の先端とレセプタクル嵌合端２０２との間に位置している。具体的には、Ｘ方向において、レセプタクル嵌合端２０２からレセプタクル信号端子２２０までの距離は、レセプタクル嵌合端２０２からグランド被接触部２５０までの距離より、第１所定距離Ｄ１だけ短い。
【００２７】
図７乃至図９に示されるように、プラグ１００は、樹脂等の絶縁体からなるプラグ保持部材（保持部材）１１０と、導電体からなる複数のプラグ信号端子（信号端子）１２０と、金属からなる２つのグランド端子１３０と、金属からなるプラグシェル１６０とを備えている。概略、プラグ信号端子１２０及びグランド端子１３０は、プラグ保持部材１１０に保持されており、そのプラグ保持部材１１０は、プラグシェル１６０にほぼ全体に亘り覆われている。
【００２８】
図７、図９、図１０及び図１２に示されるように、プラグ保持部材１１０の内部には、プラグ１００の先端であるプラグ嵌合端（嵌合端）１０２に向けて開いた空間１１６が形成されている。図１２から理解されるように、この空間１１６は、プラグ１００がレセプタクル２００と嵌合する際に板状部２１４を受容する。図８及び図１０に示されるように、プラグ保持部材１１０には、２種類の保護部（即ち、保護部１１２及び保護部１１４）が設けられている。保護部１１２及び保護部１１４の夫々は、プラグ保持部材１１０の空間１１６内に向かって突出している。保護部１１２は、プラグ保持部材１１０の−Ｘ側端部の壁を形成している。保護部１１４は、Ｙ方向に長手を有するように細長い島状形状を有している。保護部１１２は、保護部１１４よりも−Ｘ側に位置している。
【００２９】
図１及び図８から理解されるように、プラグ信号端子１２０は、夫々、レセプタクル信号端子２２０に対応している。そのため、レセプタクル信号端子２２０と同様に、プラグ信号端子１２０は、２列に分けられており、各列を構成するプラグ信号端子１２０は、Ｙ方向に並べられている。図８及び図９に示されるように、各プラグ信号端子１２０は、信号接点部１２２を有している。この信号接点部１２２は、プラグ１００をレセプタクル２００に嵌合した際に、レセプタクル信号端子２２０に接触する部位であり、空間１１６内に突出している。
【００３０】
図１１に示されるように、グランド端子１３０は、被固定部１３２と、第１部位１４０と、第２部位１５０とを有している。図１０に示されるように、被固定部１３２は、保持部材１１０に保持され、固定される部位である。図８乃至図１０及び図１２から理解されるように、＋Ｙ側に位置するグランド端子１３０と−Ｙ側に位置するグランド端子１３０とは、Ｚ方向において反転されている。以下においては、−Ｙ側に位置するグランド端子１３０について説明し、＋Ｙ側に位置するグランド端子１３０についての説明は省略する。但し、以下において、２つのグランド端子１３０に共通する点の説明については、＋Ｙ側に位置するグランド端子１３０を示す図９を代用する。
【００３１】
図１０及び図１１に示されるように、第１部位１４０は、被固定部１３２から−Ｘ側に向かって延びている。即ち、図１０に示されるように、第１部位１４０は、被固定部１３２からプラグ嵌合端１０２に向かって延びている。第１部位１４０は、−Ｚ側に突出したロック部１４２と、ロック部１４２を弾性支持するロックバネ部１４４とを有している。保護部１１２は、第１部位１４０よりも−Ｘ側に位置している。図８及び図１０を参照して、第１部位１４０の先端は保護部１１２に隠れているが、ロック部１４２は隠れておらず、従って、プラグ１００をプラグ嵌合端１０２側から見た場合に視認可能である。この配置により、第１部位１４０の先端にレセプタクル２００（図１２参照）の一部が当たって第１部位１４０が損傷してしまうことを避けることができる。このように、保護部１１２は、第１部位１４０を保護している。
【００３２】
図１３及び図１４に示されるように、プラグ１００がレセプタクル２００と嵌合する途中において、ロック部１４２は、グランド被接触部２５０の＋Ｚ側の面に接触する。このときの接触力は、主としてロックバネ部１４４の弾性変形により得られる。更に、図１５に示されるように、プラグ１００がレセプタクル２００と嵌合した状態において、ロック部１４２は、被ロック部２６０の−Ｘ側に入り込み、被ロック部２６０をロックする。このように、本実施の形態においてはフリクションロックが実現されている。
【００３３】
図１５に示されるように、プラグ１００がレセプタクル２００と嵌合した状態において、ロックバネ部１４４は、グランド被接触部２５０に接触していない。即ち、ロック部１４２が被ロック部２６０の−Ｘ側に入り込む際にロックバネ部１４４がロック部１４２の移動を妨げることがなく、ロック部１４２の移動量を最大にすることができる。このため、ユーザは、プラグ１００をレセプタクル２００と嵌合させてロックがかかったときに、高いクリック感を得ることができる。
【００３４】
図９を参照すると、ロック部１４２は、信号接点部１２２よりも−Ｘ側に位置している。即ち、ロック部１４２は、信号接点部１２２よりもプラグ嵌合端１０２に近く、信号接点部１２２とプラグ嵌合端１０２との間に位置している。具体的には、Ｘ方向において、プラグ嵌合端１０２からプラグ信号端子１２０までの距離は、プラグ嵌合端１０２からロック部１４２までの距離より第２所定距離Ｄ２だけ長い。
【００３５】
本実施の形態による第２所定距離Ｄ２は、前述の第１所定距離Ｄ１（図２参照）より長い。そのため、図１２及び図１３から理解されるように、プラグ１００がレセプタクル２００と嵌合する際には、プラグ信号端子１２０とレセプタクル信号端子２２０が接触する前にロック部１４２がグランド被接触部２５０に接触することができる。即ち、本実施の形態のコネクタ組立体１０においては、良好な接続シーケンスを実現することができる。
【００３６】
図１０及び図１１に示されるように、第２部位１５０は、被固定部１３２から−Ｘ側に向かって延びている。即ち、図１０に示されるように、第２部位１５０は、被固定部１３２からプラグ嵌合端１０２に向かって延びている。但し、図９及び図１１に示されるように、Ｘ方向において、第２部位１５０は、第１部位１４０より短い。具体的には、ロック部１４２は、グランド接触部１５２よりも距離Ｄ３だけ−Ｘ側に位置している。即ち、Ｘ方向において、ロック部１４２とグランド接触部１５２は、距離Ｄ３だけ離れている。
【００３７】
図１０及び図１１に示されるように、第２部位１５０は、被固定部１３２を介して、第１部位１４０に接続されている。これにより、第２部位１５０は、第１部位１４０に対して電気的に接続されている。更に、第２部位１５０は、＋Ｚ側に突出したグランド接触部１５２と、グランド接触部１５２を弾性支持するグランドバネ部１５４とを有している。即ち、グランド接触部１５２とロック部１４２とは、Ｚ方向において、互いに異なる方向に突出している。保護部１１４は、第２部位１５０よりも−Ｘ側に位置している。図８及び図１０を参照して、第２部位１５０の先端は、保護部１１４に隠れていることから、プラグ１００をプラグ嵌合端１０２側から見た場合、視認できない。一方、グランド接触部１５２は、保護部１１４よりも＋Ｚ側に突出している。このようにして、グランド接触部１５２への接触を可能としつつ、第２部位１５０を保護している。
【００３８】
図１４に示されるように、プラグ１００がレセプタクル２００と嵌合する途中において、グランド接触部１５２は、グランド被接触部２５０の−Ｚ側の面に接触する。即ち、グランド被接触部２５０において、グランド接触部１５２の接触する面は、ロック部１４２の接触する面の反対側の面である。このときの接触力は、主としてグランドバネ部１５４の弾性変形により得られる。更に、図１５に示されるように、プラグ１００がレセプタクル２００と嵌合した状態においても、グランド接触部１５２は、グランド被接触部２５０に接触し続けている。このため、プラグ１００がレセプタクル２００へ嵌合する工程において、ロック部１４２のグランド被接触部２５０への接触とグランド接触部１５２のグランド被接触部２５０への接触が途切れることなく連続することとなる。即ち、本実施の形態においては、嵌合過程においてグランド被接触部２５０を常にグランドに接続することができ、従って、高い耐ＥＭＩ特性を得ることができる。このグランディングの連続性を確実なものとするため、本実施の形態においては、Ｘ方向におけるロック部１４２とグランド接触部１５２との間の距離Ｄ３（図９及び図１１参照）は、グランド被接触部２５０のＸ方向における長さＬ（図５参照）よりも短く設定されている。
【００３９】
また、グランド接触部１５２をロック部１４２よりも＋Ｘ側に位置させたことから、プラグ１００をレセプタクル２００に嵌合させた状態においてグランド接触部１５２とグランド被接触部２５０との接触位置をロック部１４２よりもレセプタクル嵌合端２０２に近づけることができる。そのため、グランドの経路をより適切なものとすることができる。
【００４０】
以上、本発明について実施の形態を掲げて具体的に説明してきたが、本発明はこれに限定されるわけではなく、様々な変形が可能である。
【００４１】
例えば、上述した実施の形態においては、プラグ信号端子１２０もレセプタクル信号端子２２０も２列に配列されていたが、１列に配列されていてもよい。
【００４２】
また、第１部位１４０と第２部位１５０とは被固定部１３２により接続され一体化されていたが、本発明はこれに限定されるわけではない。例えば、第１部位１４０と第２部位１５０とを別体に形成してもよい。但し、第１部位１４０と第２部位１５０とは、グランド接続の連続性を確保するため、少なくとも互いに電気的に接続されている必要がある。
【００４３】
なお、第１部位１４０と第２部位１５０とが別体でもよいことから理解されるように、チューニングフォーク型のコンタクトと異なり、第１部位１４０と第２部位１５０とは独立したバネ接点を形成している。そのため、例えば、ロック部１４２を＋Ｚ側に移動させるとグランド接触部１５２に＋Ｚ側に向かう力が働くといったことはない。
【００４４】
上述した実施の形態において、グランド部材２３０は単一のものとして構成されていたが、複数の部材からなるものであってもよい。
【００４５】
更に、プラグ１００にはグランドプレートが設けられていなかったが、プラグ１００にグランドプレートが設けられていてもよいし、加えて、そのグランドプレートがグランド端子１３０に接続されていてもよい。
【符号の説明】
【００４６】
１０        コネクタ組立体
１００        プラグ（コネクタ）
１０２        プラグ嵌合端（嵌合端）
１１０        プラグ保持部材（保持部材）
１１２        保護部
１１４        保護部
１１６        空間
１２０        プラグ信号端子（信号端子）
１２２        信号接点部
１３０        グランド端子
１３２        被固定部
１４０        第１部位
１４２        ロック部
１４４        ロックバネ部
１５０        第２部位
１５２        グランド接触部
１５４        グランドバネ部
１６０        プラグシェル
２００        レセプタクル（相手側コネクタ）
２０２        レセプタクル嵌合端（相手側嵌合端）
２１０        レセプタクル保持部材（相手側保持部材）
２１２        基部
２１４        板状部
２２０        レセプタクル信号端子（相手側信号端子）
２３０        グランド部材
２４０        グランド主部
２５０        グランド被接触部
２６０        被ロック部
２７０        レセプタクルシェル
【図１】
2015215982.tif 000003
【図２】
2015215982.tif 000004
【図３】
2015215982.tif 000005
【図４】
2015215982.tif 000006
【図５】
2015215982.tif 000007
【図６】
2015215982.tif 000008
【図７】
2015215982.tif 000009
【図８】
2015215982.tif 000010
【図９】
2015215982.tif 000011
【図１０】
2015215982.tif 000012
【図１１】
2015215982.tif 000013
【図１２】
2015215982.tif 000014
【図１３】
2015215982.tif 000015
【図１４】
2015215982.tif 000016
【図１５】
2015215982.tif 000017
【図１６】
2015215982.tif 000018